(57)【要約】【課題】建造建築物の既存の床に対して、局部的な足踏みとして、あるいは広域的な床面として構築することができ、さまざまな環境に対応できる性能を発揮する床パネル敷設構造を提供すること。【解決手段】建造物の床Ｆ上に、複数の支持脚体２を介して、床との間に空間Ｓを隔てて敷設する床パネル敷設構造であって、適宜平面視形状でなる床パネル１と、前記床パネル１を、その裏面側１ｂから支えて、該床パネルを保持する複数個の支持脚体２との組合せでなり、前記床パネル１が、比重１．２〜２．０程度の比較的単位体積当りの質量の大きな素材からなるパネルであり、前記支持脚体２が、剛直性のある弾性材からなり、前記床パネル裏面に直接的に取り付けられており、その脚部先端が半球体状をなしていて、前記床パネルの自重により、敷設床面に高摩擦で係合して自己安定性を確保するものからなる床パネル敷設構造。【選択図】図１
2005146670.tif 000002
【特許請求の範囲】
【請求項１】
建造物の床上に、複数の支持脚体を介して、床との間に空間を隔てて敷設する床パネル敷設構造であって、適宜平面視形状でなる床パネルと、前記床パネルを、その裏面側から支えて、該床パネルを保持する複数個の支持脚体との組合せでなり、前記床パネルが、比重１．２〜２．０程度の比較的単位体積当りの質量の大きな素材からなるパネルであり、前記支持脚体が、剛直性のある弾性材からなり、前記床パネル裏面に直接的に取り付けられており、その脚部先端が半球体状をなしていて、床パネルの自重により、敷設床面に高摩擦で係合して自己安定性を確保するものからなることを特徴とする床パネル敷設構造。
【請求項２】
前記床パネルが、アクリル樹脂系人工大理石、自然石をパネル状に形成したものからなり、表面に部分的な滑り止め加工処理部を備えたものからなることを特徴とする請求項１に記載の床パネル敷設構造。
【請求項３】
前記床パネルが、互いに隣接する同士の小口面が隙間なく接する平面視形状でなり、支持脚体によって床パネルを、その表面が面一状になるように保持してなることを特徴とする請求項１あるいは請求項２に記載の床パネル敷設構造。
【請求項４】
前記床パネルの平面視形状が、三角形形状、四角形形状、六角形形状など、互いに隣接する同士の小口面を突き合わせることによって、隙間のない広域的床面を形成するものからなることを特徴とする請求項１〜請求項３のいずれかに記載の床パネル敷設構造。
【請求項５】
前記支持脚体が、前記床パネルの裏面側における各隅部並びにそれらから等距離の中央部に取り付けられていることを特徴とする請求項１〜請求項４のいずれかに記載の床パネル敷設構造。
【請求項６】
前記支持脚体が、高さ調節手段を備えたものからなることを特徴とする請求項１〜請求項５のいずれかに記載の床パネル敷設構造。
【請求項７】
建造物の床上に、複数の支持脚体を介して、床との間に空間を隔てて敷設する床パネル敷設構造であって、適宜平面視形状でなる床パネルと、上面側にシート状の発熱構造体を支持し、前記シート状の発熱構造体を挟んで前記床パネルを支持する基台プレートと、前記基台プレートを、その裏面側から支えて、該基台プレートを保持する複数個の支持脚体との組合せでなり、前記床パネルが、比重１．２〜２．０程度の比較的単位体積当りの質量の大きな素材からなるパネルであり、前記支持脚体が、剛直性のある弾性材からなり、前記基台プレート裏面に直接的に取り付けられており、その脚部先端が半球体状をなしていて、前記床パネルの自重により、敷設床面に高摩擦で係合して自己安定性を確保するものからなることを特徴とする床パネル敷設構造。
【請求項８】
建造物の床上に、複数の支持脚体を介して、床との間に空間を隔てて敷設する床パネル敷設構造であって、適宜平面視形状でなる床パネルと、上面側に扁平な冷却用構造物を支持し、前記扁平な冷却用構造物を挟んで前記床パネルを支持する基台プレートと、前記基台プレートを、その裏面側から支えて、該基台プレートを保持する複数個の支持脚体との組合せでなり、前記床パネルが、比重１．２〜２．０程度の比較的単位体積当りの質量の大きな素材からなるパネルであり、前記支持脚体が、剛直性のある弾性材からなり、前記基台プレート裏面に直接的に取り付けられており、その脚部先端が半球体状をなしていて、前記床パネルの自重により、敷設床面に高摩擦で係合して自己安定性を確保するものからなることを特徴とする床パネル敷設構造。
【請求項９】
前記床パネルが、アクリル樹脂系人工大理石、自然石をパネル状に形成したものからなり、表面に部分的な滑り止め加工処理部を備えたものからなることを特徴とする請求項７あるいは請求項８に記載の床パネル敷設構造。
【請求項１０】
前記床パネルが、互いに隣接する同士の小口面が隙間なく接する平面視形状でなり、基台プレートが、床パネルの平面視形状と同等の平面視形状でなり、前記支持脚体によって前記床パネルを、その表面が面一状になるように保持してなることを特徴とする請求項７〜請求項９のいずれかに記載の床パネル敷設構造。
【請求項１１】
前記床パネル並びに基台プレートの平面視形状が、三角形形状、四角形形状、六角形形状など、互いに隣接する同士の小口面を突き合わせることによって、隙間のない広域的床面を形成するものからなることを特徴とする請求項７〜請求項１０のいずれかに記載の床パネル敷設構造。
【発明の詳細な説明】
【技術分野】
【０００１】
この発明は、機械的並びに物理的な基本物性において、耐候性、耐熱性、耐衝撃性、耐薬品性、保温性、貯熱性、耐汚染性、耐水性、耐シガレット性などの諸物性に関して、さまざまな環境に対応できる性能を発揮し、且つ、加工性に優れた床パネルを供するものであり、当該床パネルによる床パネル敷設構造に関するものである。
【背景技術】
【０００２】
周知のように、建造建築物、特に、住宅あるいはオフィースなどにおける従来の床は、天然木材、合成木材、ピータイル、フェルトなどの素材によって構成されているものであり、局部的な足踏みとしては、局部的絨毯などによるものであって、そのいずれもが機械的並びに物理的な基本物性において、耐候性、耐熱性、耐衝撃性、耐薬品性、保温性、貯熱性、耐汚染性、耐水性、耐シガレット性などの諸物性に関して十分な性能を発揮するものではなかった。
【０００３】
従来の床パネル敷設構造としては、例えば、特許文献１および特許文献２に記載のような技術内容のものが開発さて、提供されてきている。特許文献１に記載のものは、住宅などの部屋の床の防音を容易に且つ確実に行うものであって、住宅などの建築物の床構造において、スラブの上面側に空間をあけて配設される複数の矩形状の床材と、これら床材同士の間に、床材の小口面に亘って設けられ、これら床材とスラブの上面との空間を、床材毎の複数の空間部に区画する防音シートとを具備してなる床構造である。この床構造は、床材とスラブの上面との空間が、防音シートによって床材毎の複数の空間部に区画されているので、床材の上面側にて生じた音を、区画された空間部にとどめることによって防音を図るというものであって、このような防音シートを適用するという部品点数の増加、複雑な構造、煩雑な施工を強いられるもので、それによって防音性を図ろうとするものである。この特許文献１のものには、床材１についての素材、支持脚６についての素材などの詳細については開示されていない。
【０００４】
一方、特許文献２に記載のものは、低床式二重床の支持構造に適用される床支持構造であって、床板基板３に対して、円筒金具６、嵌込金具７および弾性支持盤８とからなる支持脚体２を組み合わせた構成の床支持構造である。この特許文献２に記載の床支持構造についても、上記特許文献１に記載のものと同様に、部品点数の増加、複雑な構造、煩雑な施工を強いられるものであり、且つ、床材１についての素材などの詳細については開示されていない。
【０００５】
【特許文献１】特開平９−３２２６３号公報（要約、図１）
【特許文献２】特開２００２−１７４０２１号公報（要約、図１）
【発明の開示】
【発明が解決しようとする課題】
【０００６】
そこで、この発明では、上記する従来技術の問題点を解消すべくなしたものであって、特に重要な要素は、部品点数が少なく、極めて簡単な構造でなり、極めて省力的な施工に適合する床パネル敷設構造を提供するものであり、且つ建造建築物の既存の床に対して、局部的な足踏みとして、あるいは広域的な床面として構築することができ、上記機械的並びに物理的な基本物性において、耐候性、耐熱性、耐衝撃性、耐薬品性、保温性、貯熱性、耐汚染性、耐水性、耐シガレット性などの諸物性に関して、さまざまな環境に対応できる性能を発揮し、且つ、加工性に優れた床パネルを供するとともに、当該床パネルによる床パネル敷設構造を提供するものである。
【課題を解決するための手段】
【０００７】
この発明は、上記する目的を達成するにあたって、請求項１に記載の発明は、建造物の床上に、複数の支持脚体を介して、床との間に空間を隔てて敷設する床パネル敷設構造であって、適宜平面視形状でなる床パネルと、前記床パネルを、その裏面側から支えて、該床パネルを保持する複数個の支持脚体との組合せでなり、前記床パネルが、比重１．２〜２．０程度の比較的単位体積当りの質量の大きな素材からなるパネルであり、前記支持脚体が、剛直性のある弾性材からなり、前記床パネル裏面に直接的に取り付けられており、その脚部先端が半球体状をなしていて、前記床パネルの自重により、敷設床面に高摩擦で係合して自己安定性を確保するものからなることを特徴とする床パネル敷設構造を構成するものである。
【０００８】
さらに、この発明において請求項２に記載の発明は、請求項１に記載の床パネル敷設構造であって、前記床パネルが、アクリル樹脂系人工大理石、自然石をパネル状に形成したものからなり、表面に部分的な滑り止め加工処理部を備えたものからなることを特徴とするものである。
【０００９】
さらにまた、この発明において請求項３に記載の発明は、請求項１あるいは請求項２に記載の床パネル敷設構造であって、前記床パネルが、互いに隣接する同士の小口面が隙間なく接する平面視形状でなり、支持脚体によって床パネルを、その表面が面一状になるように保持してなることを特徴とするものである。
【００１０】
さらにまた、この発明において請求項４に記載の発明は、請求項１〜請求項３のいずれかに記載の床パネル敷設構造であって、前記床パネルの平面視形状が、三角形形状、四角形形状、六角形形状など、互いに隣接する同士の小口面を突き合わせることによって、隙間のない広域的床面を形成するものからなることを特徴とするものである。
【００１１】
さらにまた、この発明において請求項５に記載の発明は、請求項１〜請求項４のいずれかに記載の床パネル敷設構造であって、前記支持脚体が、前記床パネルの裏面側における各隅部並びにそれらから等距離の中央部に取り付けられているものからなることを特徴とするものである。
【００１２】
さらにまた、この発明において請求項６に記載の発明は、請求項１〜請求項５のいずれかに記載の床パネル敷設構造であって、前記支持脚体が、高さ調節手段を備えたものからなることを特徴とするものである。
【００１３】
さらに、この発明において請求項７に記載の発明は、建造物の床上に、複数の支持脚体を介して、床との間に空間を隔てて敷設する床パネル敷設構造であって、適宜平面視形状でなる床パネルと、上面側にシート状の発熱構造体を支持し、前記シート状の発熱構造体を挟んで前記床パネルを支持する基台プレートと、前記基台プレートを、その裏面側から支えて、該基台プレートを保持する複数個の支持脚体との組合せでなり、前記床パネルが、比重１．２〜２．０程度の比較的単位体積当りの質量の大きな素材からなるパネルであり、前記支持脚体が、剛直性のある弾性材からなり、前記基台プレート裏面に直接的に取り付けられており、その脚部先端が半球体状をなしていて、前記床パネルの自重により、敷設床面に高摩擦で係合して自己安定性を確保するものからなることを特徴とする床パネル敷設構造を構成するものである。
【００１４】
さらに、この発明において請求項８に記載の発明は、建造物の床上に、複数の支持脚体を介して、床との間に空間を隔てて敷設する床パネル敷設構造であって、適宜平面視形状でなる床パネルと、上面側に扁平な冷却用構造物を支持し、前記扁平な冷却用構造物を挟んで前記床パネルを支持する基台プレートと、前記基台プレートを、その裏面側から支えて、該基台プレートを保持する複数個の支持脚体との組合せでなり、前記床パネルが、比重１．２〜２．０程度の比較的重量の大きな素材からなるパネルであり、前記支持脚体が、剛直性のある弾性材からなり、前記基台プレート裏面に直接的に取り付けられており、その脚部先端が半球体状をなしていて、前記床パネルの自重により、敷設床面に高摩擦で係合して自己安定性を確保するものからなることを特徴とする床パネル敷設構造を構成するものである。
【００１５】
さらに、この発明において請求項９に記載の発明は、請求項７あるいは請求項８に記載の床パネル敷設構造であって、前記床パネルが、アクリル樹脂系人工大理石、自然石をパネル状に形成したものからなり、表面に部分的な滑り止め加工処理部を備えたものからなることを特徴とするものである。
【００１６】
さらにまた、この発明において請求項１０に記載の発明は、請求項７〜請求項９のいずれかに記載の床パネル敷設構造であって、前記床パネルが、互いに隣接する同士の小口面が隙間なく接する平面視形状でなり、基台プレートが、床パネルの平面視形状と同等の平面視形状でなり、前記支持脚体によって前記床パネルを、その表面が面一状になるように保持してなることを特徴とするものである。
【００１７】
さらにまた、この発明において請求項１１に記載の発明は、請求項７〜請求項１０のいずれかに記載の床パネル敷設構造であって、前記床パネル並びに基台プレートの平面視形状が、三角形形状、四角形形状、六角形形状など、互いに隣接する同士の小口面を突き合わせることによって、隙間のない広域的床面を形成するものからなることを特徴とするものである。
【発明の効果】
【００１８】
この発明になる床パネル敷設構造によれば、まず第１に、部品点数が少なく、極めて簡単な構造でなっているので、極めて省力的な施工に適合する床パネル敷設構造である点において極めて有効に作用する。さらに、この発明になる床パネル敷設構造によれば、建造建築物の既存の床に対して、比重が比較的大きな素材によって構成される床パネル並びに特異な形態の支持脚体を適用することにより、自重的に自己安定性が確保され、敷設床面に対して密着状態で係合し、簡単には横移動しない構成とすることができ、足踏みとして、あるいは広域的な床面として構築することができ点においても極めて有効に作用するものといえる。
【００１９】
さらにまた、この発明になる床パネル敷設構造によれば、他の産業分野との関連において、安価に入手可能なアクリル樹脂系人工大理石により床パネルを構成する点において、機械的並びに物理的な基本物性、耐候性、保温性、貯熱性、耐汚染性、耐熱水性、耐熱湯性並びに耐シガレット性などの諸物性に関して十分な性能を発揮する床パネル敷設構造を構成するものであり、且つ、剛直性のある弾性材により支持脚体を構成する点において、摩擦性が高いので滑ることがない点、クッション性、防音性に優れた床パネル敷設構造を構成し得るなどの点においても極めて有効に作用するものといえる。
【発明を実施するための最良の形態】
【００２０】
以下、この発明になる床パネル敷設構造について、図面に示す具体的な実施例に基づいて詳細に説明する。図１は、この発明になる床パネル敷設構造において、一枚の床パネルを足踏みとして適用する第１の構成例を示すものであって、図１Ａは、一枚の床パネルに支持脚体を取り付けた床パネル敷設構造を表面側から見た概略的な斜視図、図１Ｂは、その裏面側から見た概略的な斜視図、図１Ｃは、これを建造物の床上に施工した状態を示す概略的な側面図である。図２は、当該床パネルを敷き詰めて、面一状の床を敷設する態様例を示すものであり、図２Ａは、平面視正方形形状の床パネルを碁盤目状に配列敷設した概略的な平面図、図２Ｂは、その変位配列を示す概略的な平面図、図２Ｃは、平面視六角形形状の床パネルを隙間なく敷設した概略的な平面図である。
【００２１】
図３は、この発明になる床パネル敷設構造において、その第２の構成例を示すものであって、図３Ａは、上面にシート状の発熱構造体を支持する基台プレート上に床パネルを組合せる構成例にあって、両者間を分離して示す概略的な斜視図であり、図３Ｂは、この床パネル敷設構造を建造物の床Ｆ上に施工した状態を示す概略的な側面図である。さらに、図４は、この発明になる床パネル敷設構造をより詳細に説明するためのものであって、図４Ａは、一体成形でなる支持脚体の適用例を示す概略的な側断面図であり、図４Ｂは、高さ調節手段を備えた支持脚体の適用例を示す概略的な側断面図であり、図４Ｃは、床パネルの自重により、敷設床面に高摩擦で係合して自己安定性を確保し、簡単には横移動が生じない原理を説明するための概略的な側面図である。
【００２２】
この発明になる床パネル敷設構造は、基本的には、適宜平面視形状でなる床パネル１と、この床パネル１を建造物の床Ｆ上に、床との間に空間Ｓを隔てて支持する複数個の支持脚体２との組合せによって構成されるものである。この発明において、最も重要な要素の一つは、前記床パネル１が、比重１．２〜２．０程度の比較的単位体積当りの質量のある素材、例えば、アクリル樹脂系人工大理石あるいは自然石などをパネル状に成形したものによって構成される点にある。
【００２３】
ここに、アクリル樹脂系人工大理石とは、例えば、メタクリル酸メチルを主体とする不飽和単量体および無機粉末からなる樹脂組成物に対して、シリカ微細粒子を含有するものからなっている。このアクリル樹脂系人工大理石は、天然大理石の高級感、質感がそのままであって、機械的並びに物理的な基本物性において、耐候性、耐熱性、耐衝撃性、耐薬品性、保温性、貯熱性、耐汚染性、耐水性、耐シガレット性などの諸物性に関して、さまざまな環境に対応できる性能を発揮するものであり、且つ、優れた加工性をもっている。これらの諸物性に優れたアクリル樹脂系人工大理石は、キッチン天板、各種カウンタートップ、洗面化粧台、シャワートレー、壁材、間仕切り板などに使用されている。
【００２４】
この発明では、上記する諸特性に優れたアクリル樹脂系人工大理石材によって、床パネル１を形成する。前記床パネル１は、互いに隣接する同士の小口面が隙間なく接する平面視形状を有するものであって、表面１ａには部分的な滑り止め加工処理部３が設けられている。この床パネル１は、前記支持脚体２によって前記床パネルを、その表面が面一状になるように保持されるようになっている。
【００２５】
一方、この発明になる床パネル敷設構造における他の重要な要素は、支持脚体２の構成にある。前記支持脚体２は、全体が適度の剛直性のある弾性材でなるものであって、例えば、ウレタン系ゴム、シリコーン系ゴム、ブタジエン−スチレン系ゴム、ブチル系ゴム、ニトリルゴム、クロロブレン系ゴムなどの各種ゴムによって構成されるものである。この支持脚体２は、図１Ｂおよび図１Ｃに示すように、プレート部分４と、該プレート部分４の裏面中央から下方に向けてのびる脚部分５とからなっており、前記脚部分５の先端側５ａが半球形形状でなる端部６として形成されている。
【００２６】
前記支持脚体２は、図４Ａに示すもののように、上記する素材によって一体成形したものであってもよいし、あるいは、図４Ｂに示すもののように、高さ調節手段１２を備えた支持脚体１１によるものであってもよい。図４Ｂに示す支持脚体１１は、先端側１３ａが半球形形状でなる脚部先端部材１３と、該脚部先端部材１３に取り付けてあるボルト部材１４と、このボルト部材１４に螺合するネジ孔１６を備え、取付プレート部分１７を備えた固定部材１５との組み合わせによって構成されるものである。
【００２７】
この発明の第１の構成例によれば、例えば、足踏みとして用いる場合には、図１Ｃに示すように、５本の支持脚体２によって１枚の床パネル１を建造物の床Ｆ上に支持するようにして適用される。この実施例の場合、前記支持脚体２は、前記床パネル１の裏面１ｂ側における各隅部並びにそれらから略等距離の中央部に取り付けられるようになっている。一方、前記床パネル１を建造物の床Ｆ上に敷き詰める場合には、例えば、図２各図に示すような配列パターンで敷設される。この場合、各床パネル１は、それぞれ５本の支持脚体２によって支持され、各床パネル１の表面が面一状になるように敷設される。
【００２８】
この発明になる床パネル敷設構造は、図４Ｃに示すように、比重が比較的大きな素材によって構成される床パネル並びに特異な形態の支持脚体を適用することにより、自重的に自己安定性が確保され、特に、床パネルの自重Ｐが、図４Ｃにおいて矢印ｆで示すように、各支持脚体の先端側の半球体先端に集中的に作用するので、敷設床面に対して密着状態で係合し、簡単には横移動することがない。
【００２９】
次いで、この発明になる床パネル敷設構造についての第２の構成例について、図３に基づいて説明する。図３は、この発明になる床パネル敷設構造における第２の構成例を示すものである。この第２の構成例のものは、上面にシート状の発熱構造体７を支持する基台プレート８上に床パネル１を組合せる構成例である。この第２の構成例の場合も、前記第１の構成例の場合と同様に、足踏みとして適用することもでき、且つ、建造物の床Ｆ上に敷き詰めて適用することもできる。
【００３０】
後者の場合、前記床パネル１は、互いに隣接する同士の小口面１ｂが隙間なく接する平面視形状でなり、基台プレート８も前記床パネル１の平面視形状と同等の平面視形状でなっていて、それぞれ５本の支持脚体２によって各床パネル１を、その表面１ａが面一状になるように保持される。前記床パネル１の平面視形状は、特に、足踏みとして適用する場合にあっては適宜形状のものでよい。一方、床Ｆ上に敷き詰める場合には、前記床パネル１の平面視形状は、図２各図に示すように、互いに隣接する同士の小口面１ｂが隙間なく接する平面視形状であって、例えば、三角形形状、四角形形状、六角形形状などのものとして設計される。
【００３１】
この発明において、前記シート状の発熱構造体７とは、非常に薄い構造でなるＰＴＣヒーター（ＰＴＣとは、Positive Temperature Coefficientの略）によるものであり、正の温度係数（温度が高くなるにつれて電気抵抗が大きくなる性質）をもったヒーターであり、ヒーター自身が周囲の環境や放熱に応じて、ヒーター温度と消費電力を自らコントロールする性質をもっており、一般的なヒーターのように安全装置としてのサーモスタットを必要としない。図に示す実施例では、このシート状の発熱構造体７は、コネクター９並びに接続コード１０を含むものによって構成されている。
【００３２】
この発明は、前記シート状の発熱構造体７に代えて、扁平な冷却用構造物を組み合わせたものであってもよい。この場合、前記扁平な冷却用構造物は、樹脂製袋内に凍結ジェルを密封した既存の製品を冷凍庫内において冷凍して用いるものでり、必要に応じて、前記基台プレート８の上面に冷却用構造物収納凹部を設けておくことにより、収まりのよい構成とすることができる。
【図面の簡単な説明】
【００３３】
【図１】図１は、この発明になる床パネル敷設構造において、一枚の床パネルを足踏みとして適用する第１の構成例を示すものであって、図１Ａは、一枚の床パネルに支持脚体を取り付けた床パネル敷設構造を表面側から見た概略的な斜視図、図１Ｂは、その裏面側から見た概略的な斜視図、図１Ｃは、これを建造物の床上に施工した状態を示す概略的な側面図である。
【図２】図２は、当該床パネルを敷き詰めて、面一状の床を敷設する態様例を示すものであり、図２Ａは、平面視正方形形状の床パネルを碁盤目状に配列敷設した概略的な平面図、図２Ｂは、その変位配列を示す概略的な平面図、図２Ｃは、平面視六角形形状の床パネルを隙間なく敷設した概略的な平面図である。
【図３】図３は、この発明になる床パネル敷設構造において、その第２の構成例を示すものであって、図３Ａは、上面にシート状の発熱構造体を具備する基台プレート上に床パネルを組合せる構成例にあって、両者間を分離して示す概略的な斜視図であり、図３Ｂは、これを建造物の床上に施工した状態を示す概略的な側面図である。
【図４】図４は、この発明になる床パネル敷設構造をより詳細に説明するためのものであって、図４Ａは、一体成形でなる支持脚体の適用例を示す概略的な側断面図であり、図４Ｂは、高さ調節手段を備えた支持脚体の適用例を示す概略的な側断面図であり、図４Ｃは、床パネルの自重により、敷設床面に高摩擦で係合して自己安定性を確保し、簡単には横移動が生じない原理を説明するための概略的な側面図である。
【符号の説明】
【００３４】
Ｆ  建造物の床面
Ｓ  床Ｆとの間の空間
１  床パネル
１ａ  床パネルの表面
１ｂ  床パネルの裏面
１ｃ  床パネルの小口面
２  支持脚体
３  滑り止め加工処理部
４  支持脚体のプレート部分
５  支持脚体の脚部分
６  脚部分の半球形形状端部
７  シート状の発熱構造体
８  基台プレート
１１  高さ調節手段を備えた支持脚体
１２  高さ調節手段
１３  脚部先端部材
１３ａ  半球形状先端
１４  ボルト部材
１５  固定部材
１６  ネジ孔
１７  取付プレート部分
【図１】
2005146670.tif 000003
【図２】
2005146670.tif 000004
【図３】
2005146670.tif 000005
【図４】
2005146670.tif 000006